(57)【特許請求の範囲】
【請求項１】
印刷装置に供給される被印字用紙を巻回した被印字用紙ロールの内周部に挿入され、当該被印字用紙ロールを回転可能に保持可能な、対向配置された一対の保持部材と、
前記保持部材を進退可能に支持して、前記保持部材の進退状態を、その先端部が前記被印字用紙ロールの軸方向端面位置よりも軸方向の内方側に位置する第１位置まで突出した第１状態と、前記先端部が前記軸方向端面位置又はそれよりも前記軸方向の外方側に位置する第２状態と、前記先端部が前記第１位置よりもさらに前記軸方向の内方側に位置する第２位置まで突出した第３状態と、に切り替え可能な進退支持手段と、
を有し、
前記進退支持手段は、
前記保持部材を前記軸方向に摺動可能に支持して、前記進退状態を前記第１状態と前記第３状態とに切り替え可能な摺動支持手段と、
前記保持部材を揺動可能に支持して、前記進退状態を前記第１状態と前記第２状態とに切り替え可能な揺動支持手段と、
を有し、
前記揺動支持手段は、
前記保持部材を前記第１状態となるように付勢する第２付勢部材を備え、前記被印字用紙ロールの装着時に、前記保持部材が前記被印字用紙ロールにより加圧接触されることにより、前記保持部材を前記第２付勢部材の付勢力に抗して揺動して前記第２状態に切り替える
ことを特徴とするロール保持装置。
【請求項２】
請求項１記載のロール保持装置において、
当該ロール保持装置は、
前記印刷装置を収納するケース本体に設けられ、
前記摺動支持手段は、
前記ケース本体に対し開閉可能に支持されたケースカバーの開閉動作に連動して、前記保持部材を摺動させる
ことを特徴とするロール保持装置。
【請求項３】
請求項２記載のロール保持装置において、
前記摺動支持手段は、
前記軸方向に沿って設けられたガイド部材と、
前記保持部材を支持すると共に、前記ガイド部材によりガイドされつつ前記軸方向に摺動可能な摺動部材と、
前記摺動部材を前記軸方向の外方側に向けて付勢する第１付勢部材と、
を備え、
前記摺動部材は、
前記ケースカバーが閉じ動作されるときに、当該ケースカバーにより加圧接触されることにより、前記第１付勢部材の付勢力に抗して前記軸方向の内方側に向けて摺動する
ことを特徴とするロール保持装置。
【発明の詳細な説明】
【技術分野】
【０００１】
本発明は、印刷装置に供給される被印字用紙を巻回した被印字用紙ロールを保持可能なロール保持装置に関する。
【背景技術】
【０００２】
従来、印刷装置に供給される被印字用紙を巻回した被印字用紙ロールを保持可能な構造が知られている（例えば、特許文献１参照）。この従来技術では、被印字用紙ロール（ロール紙）の内周部（巻芯の貫通穴）に一対の保持部材（保持リブの突出部）が挿入されることで、被印字用紙ロールを回転可能に保持することができる。
【先行技術文献】
【特許文献】
【０００３】
【特許文献１】特開平１０−１８１９５６号公報
【発明の概要】
【発明が解決しようとする課題】
【０００４】
ここで、上記従来技術では、保持部材の被印字用紙ロールの内周部への突出長は固定値である。このため、例えば、保持部材の上記突出長を短く設定した場合には、被印字用紙ロールの装着時の操作性は良好となるものの、被印字用紙ロールの保持力が弱くなってしまう。一方、例えば、保持部材の上記突出長を長く設定した場合には、被印字用紙ロールの保持力は良好となるものの、被印字用ロールの装着時の操作性が損なわれてしまう。
【０００５】
本発明の目的は、被印字用紙ロールの装着時の操作性を損なうことなく被印字用紙ロールを確実に保持できるロール保持装置を提供することにある。
【課題を解決するための手段】
【０００６】
上記目的を達成するために、本願発明のロール保持装置は、印刷装置に供給される被印字用紙を巻回した被印字用紙ロールの内周部に挿入され、当該被印字用紙ロールを回転可能に保持可能な、対向配置された一対の保持部材と、前記保持部材を進退可能に支持して、前記保持部材の進退状態を、その先端部が前記被印字用紙ロールの軸方向端面位置よりも軸方向の内方側に位置する第１位置まで突出した第１状態と、前記先端部が前記軸方向端面位置又はそれよりも前記軸方向の外方側に位置する第２状態と、前記先端部が前記第１位置よりもさらに前記軸方向の内方側に位置する第２位置まで突出した第３状態と、に切り替え可能な進退支持手段と、を有し、前記進退支持手段は、前記保持部材を前記軸方向に摺動可能に支持して、前記進退状態を前記第１状態と前記第３状態とに切り替え可能な摺動支持手段と、前記保持部材を揺動可能に支持して、前記進退状態を前記第１状態と前記第２状態とに切り替え可能な揺動支持手段と、を有し、前記揺動支持手段は、前記保持部材を前記第１状態となるように付勢する第２付勢部材を備え、前記被印字用紙ロールの装着時に、前記保持部材が前記被印字用紙ロールにより加圧接触されることにより、前記保持部材を前記第２付勢部材の付勢力に抗して揺動して前記第２状態に切り替えることを特徴とする。
【０００７】
本願発明のロール保持装置は、印刷装置に供給される被印字用紙を巻回した被印字用紙ロールの内周部に一対の保持部材を挿入することにより、被印字用紙ロールを回転可能に保持可能である。保持部材は、進退支持手段により進退可能に支持されている。進退支持手段は、保持部材の進退状態を、第１状態、第２状態、及び第３状態の３つの状態に切り替え可能である。第１状態は、保持部材の先端部が被印字用紙ロールの軸方向端面位置よりも軸方向の内方側に位置する第１位置（例えば軸方向端面位置近傍の位置）まで突出した状態である。第２状態は、保持部材の先端部が上記軸方向端面位置又はそれよりも軸方向の外方側に位置する状態である。第３状態は、保持部材の先端部が上記第１位置よりもさらに軸方向の内方側に位置する第２位置（例えば軸方向端面位置からある程度離間した位置）まで突出した状態である。
【０００８】
進退支持手段は、例えば被印字用紙ロールの装着時に、まず、保持部材を上記第２状態として被印字用紙ロールから退避させ、その後、保持部材を上記第１状態として被印字用紙ロールの内周部に少しだけ入り込ませることにより、被印字用紙ロールの装着動作の妨げとなるのを防止しつつ、被印字用紙ロールを一時的に保持する（仮保持する）ことが可能となる。また、進退支持手段は、例えばケースカバーが閉じ状態となるときに、保持部材を上記第３状態として被印字用紙ロールの内周部に大きく入り込ませることにより、被印字用紙ロールを安定的に保持することが可能となる。
【０００９】
以上のように、保持部材を上記３つの状態に切り替え可能とすることにより、被印字用紙ロールの装着時の操作性を損なうことなく被印字用紙ロールを確実に保持することができる。
【発明の効果】
【００１０】
本発明によれば、被印字用紙ロールの装着時の操作性を損なうことなく被印字用紙ロールを確実に保持することができる。
【図面の簡単な説明】
【００１１】
【図１】本発明の一実施形態のロール保持装置及びその周辺の概略構成を説明するための、ケースカバーが閉じた状態を表す斜視図である。
【図２】ロール保持装置及びその周辺の概略構成を説明するための、ケースカバーが開いた状態を表す斜視図である。
【図３】ロール保持装置及びその周辺の概略構成を説明するための横断面図である。
【図４】ロール保持装置の動作を説明するための、被印字用紙ロールの装着前の状態を表す横断面図である。
【図５】ロール保持装置の動作を説明するための、被印字用紙ロールの装着時の状態を表す横断面図である。
【図６】ロール保持装置の動作を説明するための、被印字用紙ロールの装着完了時の状態を表す横断面図である。
【図７】ロール保持装置の動作を説明するための、ケースカバーが閉じた状態を表す横断面図である。
【発明を実施するための形態】
【００１２】
以下、本発明の一実施形態について図面を参照しつつ説明する。なお、図面中に「前」「後」「左」「右」「上」「下」の注記がある場合は、明細書中の説明における「前」「後」「左」「右」「上」「下」とは、その注記された方向を指す。
【００１３】
＜ロール保持装置及びその周辺の概略構成＞
まず、図１〜図３を参照しつつ、本実施形態のロール保持装置及びその周辺の概略構成について説明する。
【００１４】
図１〜図３に示すように、本実施形態のロール保持装置１は、携帯型の印刷装置３を収納するケース５に設けられている。
【００１５】
ケース５は、平面視略長方形状のケース本体７と、平面視略長方形状のケースカバー９と、を有する。
【００１６】
ケース本体７は、その内部に、第１収納部１１と、２つの取付部１３，１３と、第２収納部１４と、を備える。
【００１７】
第１収納部１１は、ケース本体７内の正面側である前側において水平方向である左右方向に沿って設けられている。第１収納部１１には、印刷装置３が、後述の給紙口１９が天側である上側、後述の排紙口２５が前側に臨むように、横置きに収納される。
【００１８】
取付部１３，１３は、ケース本体７内の背面側である後側の左・右端部に設けられている。取付部１３，１３には、ロール保持装置１の一対の保持機構２９，２９が取り付けられる。
【００１９】
第２収納部１４は、ケース本体７内の上記取付部１３，１３間に設けられている。第２収納部１４には、被印字用紙２３を巻芯３１の外周部にロール状に巻回した被印字用紙ロール２１が、上方から受け入れられ、その軸方向（被印字用紙２３の幅方向）の軸線２２が左右方向となる状態で、上記ロール保持装置１に装着されつつ、収納される。
【００２０】
ケースカバー９は、ケース５の後端側に設けられた２つのヒンジ部１５，１５により、ケース本体７に対し開閉可能に支持されている。ケースカバー９は、閉じ位置（図１に示す位置）と、開き位置（図２及び図３に示す位置）と、の間で回動可能である。
【００２１】
印刷装置３は、略直方体状のハウジング１７を有する。ハウジング１７の上面部には、給紙口１９が設けられており、後述のように上記被印字用紙ロール２１から繰り出された上記被印字用紙２３は、給紙口１９からハウジング１７の内部へ供給される。ハウジング１７内には、供給される被印字用紙２３を所定の搬送経路に沿って搬送する搬送ローラ（図示せず）、搬送される被印字用紙２３に所望の印字を形成する印字ヘッド（図示せず）等が設けられている。ハウジング１７の前面部には、排紙口２５が設けられており、被印字用紙２３に印字が形成された後の印字済み用紙は、排紙口２５からハウジング１７の外部へ排出される。
【００２２】
ケース５の上記排紙口２５に対応する位置である、ケースカバー９の前面部（ケースカバー９が閉じ位置に位置する状態で前面部となる面部）には、開口部２７が設けられており、排紙口２５から上記ハウジング１７の外部へ排出された上記印字済み用紙は、開口部２７からケース５の外部へ排出される。
【００２３】
ロール保持装置１は、上記被印字用紙ロール２１を回転可能に保持するための装置である。ロール保持装置１には、被印字用紙ロール２１が、上記軸線２２が左右方向となる状態で、装着される。被印字用紙ロール２１は、ロール保持装置１により軸線２２周りに回転可能に保持され、上記被印字用紙２３を繰り出す。
【００２４】
＜ロール保持装置の構成＞
ロール保持装置１は、一対の棒状の保持部材３３，３３を１つずつ備えた、上記一対の保持機構２９，２９を有する。
【００２５】
保持部材３３，３３は、保持機構２９，２９が上記取付部１３，１３に取り付けられることで、左右方向に対向配置される。保持部材３３，３３は、上記第２収納部１４に上方から受け入れられる被印字用紙ロール２１の巻芯３１の内周部３２に左・右端側から挿入され、被印字用紙ロール２１を上記軸線２２周りに回転可能に保持可能な部材（軸）である。各保持部材３３は、各保持機構２９において進退可能に支持され、その進退状態が、第１状態、第２状態、及び第３状態の３つの状態に切り替えられる。
【００２６】
第１状態は、各保持部材３３の先端部３５が各第１位置４１まで突出した状態（図２、図３、後述の図４、後述の図６に示す状態）である。左側の保持部材３３に係る第１位置４１は、第２収納部１４に収納された状態の被印字用紙ロール２１の左端面３７に対応する位置である左端面位置３９（軸方向端面位置に相当）よりも右側（軸方向の内方側に相当）の位置であり、左端面位置３９に比較的近い位置である。右側の保持部材３３に係る第１位置４１は、第２収納部１４に収納された状態の被印字用紙ロール２１の右端面３７に対応する位置である右端面位置３９（軸方向端面位置に相当）よりも左側（軸方向の内方側に相当）の位置であり、右端面位置３９に比較的近い位置である。以下適宜、左端面３７及び右端面３７を「端面３７」、左端面位置３９及び右端面位置３９を「端面位置３９」と総称する。
【００２７】
第２状態は、各先端部３５が各端面位置３９又はそれよりも軸方向の外方側（左側の保持機構２９に関しては左側、右側の保持機構２９に関しては右側）に位置する状態（後述の図５に示す状態）である。
【００２８】
第３状態は、各先端部３５が各第２位置４３まで突出した状態（後述の図７に示す状態）である。左側の保持部材３３に係る第２位置４３は、左端面位置３９よりも右側の第１位置４１よりもさらに右側の位置であり、左端面位置３９からある程度離間した位置である。右側の保持部材３３に係る第２位置４３は、右端面位置３９よりも左側の第１位置４１よりもさらに左側の位置であり、右端面位置３９からある程度離間した位置である。
【００２９】
各保持機構２９は、上記保持部材３３と、フランジ５１と、摺動支持機構５７と、揺動支持機構５９と、を有する。
【００３０】
フランジ５１は、第２収納部１４に収納された被印字用紙ロール２１の端面３７に対向する。
【００３１】
摺動支持機構５７及び揺動支持機構５９は、保持部材３３を進退可能に支持して、保持部材３３の進退状態を上記第１状態、第２状態、及び第３状態に切り替え可能に構成されている。つまり、摺動支持機構５７及び揺動支持機構５９は、各請求項記載の進退支持手段として機能する。
【００３２】
摺動支持機構５７は、保持部材３３を左右方向に摺動可能に支持して、保持部材３３の進退状態を上記第１状態及び第３状態に切り替え可能に構成されている。つまり、摺動支持機構５７は、各請求項記載の摺動支持手段として機能する。摺動支持機構５７は、ガイド部材４９と、摺動部材４７と、バネ（図示せず。第１付勢部材に相当）と、を備える。
【００３３】
ガイド部材４９は、その内部が左右方向に沿って設けられている。
【００３４】
摺動部材４７は、ガイド部材４９内に配置され、ガイド部材４９に対し左右方向に摺動可能に、ガイド部材４９により支持されている。摺動部材４７には、保持部材３３が、当該摺動部材４７の摺動と共に同一方向に移動するように、連結されている。
【００３５】
摺動部材４７は、バネにより左右方向の外方側に向けて付勢され、外力が作用していない状態では、バネの付勢力により左右方向の最も外方側に移動させられる。摺動部材４７が左右方向の最も外方側に移動させられるときには、保持部材３３は、（外力が作用していなければ）上記第１状態とされる。摺動部材４７に外力が作用して、摺動部材４７がバネの付勢力に抗してガイド部材４９に対し左右方向の内方側（左側の保持機構２９に関しては右側、右側の保持機構２９に関しては左側）に向けて摺動すると、これと共に保持部材３３も左右方向の内方側に向けて移動する。摺動部材４７が左右方向の最も内方側に移動させられると、保持部材３３は、（外力が作用していなければ）上記第３状態とされる。
【００３６】
本実施形態では、摺動支持機構５７は、上記ケースカバー９の開閉動作に連動して、保持部材３３を摺動させる。ケースカバー９の摺動部材４７，４７に対応する部分には、摺動部材４７に外力を作用させる部材として、突出部５３，５３が設けられている。各突出部５３は、それらの縁部５５が、ケースカバー９が閉じ動作されるときに、各摺動部材４７の上端部に加圧接触するように、構成されている。
【００３７】
揺動支持機構５９は、保持部材３３を揺動可能に支持して、保持部材３３の進退状態を上記第１状態及び第２状態に切り替え可能に構成されている。つまり、揺動支持機構５９は、各請求項記載の揺動支持手段として機能する。揺動支持機構５９は、コイルバネ４５（第２付勢部材に相当）を備える。なお、図３中では、右側の保持機構２９のコイルバネ４５の図示を省略している。
【００３８】
コイルバネ４５は、保持部材３３と上記摺動部材４７とを連結するように設けられ、保持部材３３を左右方向に沿った向きとなるように、つまり（上記摺動部材４７に外力が作用していなければ）上記第１状態となるように、付勢する。保持部材３３に外力が作用していない状態では、保持部材３３は、コイルバネ４５の付勢力により、（上記摺動部材４７に外力が作用していなければ）上記第１状態とされる。保持部材３３に外力が作用すると、保持部材３３は、コイルバネ４５の付勢力に抗して揺動され、（上記摺動部材４７に外力が作用していなければ）上記第２状態とされる。
【００３９】
＜ロール保持装置の動作＞
次に、図４〜図７を参照しつつ、ロール保持装置１の動作について説明する。図４〜図７では、一対の保持機構２９，２９のうち左側の保持機構２９の動作を代表に示す。
【００４０】
図４〜図７において、ケースカバー９が開いた状態で、かつ被印字用紙ロール２１が装着されていない状態では、摺動部材４７がバネの付勢力により左右方向の最も外方側に移動させられると共に、保持部材３３がコイルバネ４５の付勢力により左右方向に沿った向きとなるように付勢される（図４参照）。この結果、保持部材３３は、先端部３５が第１位置４１まで突出した第１状態とされる。
【００４１】
被印字用紙ロール２１の装着時には、第２収納部１４にその上方から被印字用紙ロール２１が受け入れられ、先端部３５が被印字用紙ロール２１の外周部により加圧接触される（押し込まれる）ことで、保持部材３３がコイルバネ４５の付勢力に抗して揺動され、先端部３５が被印字用紙ロール２１の端面３７に接触した状態となる（図５参照）。この結果、保持部材３３は、先端部３５が端面位置３９に位置する第２状態とされ、被印字用紙ロール２１から退避した状態となる。先端部３５が被印字用紙ロール２１の端面３７に接触される間は、保持部材３３は、第２状態とされる（図５参照）。
【００４２】
そして、巻芯３１の内周部３２の位置が先端部３５の位置に達すると、保持部材３３がコイルバネ４５の付勢力により左右方向に沿った向きとなるように付勢される（図６参照）。この結果、保持部材３３は、先端部３５が第１位置４１まで突出した第１状態とされ、内周部３２に少しだけ入り込んだ状態となり、この状態では、被印字用紙ロール２１を一時的に保持する（仮保持する）ことができる。これにより、被印字用紙ロール２１の装着が完了する。
【００４３】
その後、ケースカバー９が閉じ動作されると、摺動部材４７の上端部が突出部５３の縁部５５により加圧接触される（押し込まれる）ことで、摺動部材４７がバネの付勢力に抗してガイド部材４９に対し左右方向の内方側に向けて摺動され、これと共に保持部材３３が左右方向の内方側に向けて移動される。そして、ケースカバー９が完全に閉じられると、先端部３５が第２位置４３まで突出した状態となる（図７参照）。この結果、保持部材３３は、先端部３５が第２位置４３まで突出した第３状態とされ、内周部３２に大きく入り込んだ状態となり、この状態では、被印字用紙ロール２１を安定的に保持することができる。
【００４４】
＜本実施形態による効果＞
以上説明したように、本実施形態においては、被印字用紙ロール２１の装着時に、まず、保持部材３３を第２状態として被印字用紙ロール２１から退避させ、その後、保持部材３３を第１状態として被印字用紙ロール２１の内周部３２に少しだけ入り込ませることにより、被印字用紙ロール２１の装着動作の妨げとなるのを防止しつつ、被印字用紙ロール２１を一時的に保持することが可能となる。また、ケースカバー９が閉じ状態となるときに、保持部材３３を第３状態として被印字用紙ロール２１の内周部３２に大きく入り込ませることにより、被印字用紙ロール２１を安定的に保持することが可能となる。以上のように、保持部材３３を上記３つの状態に切り替え可能とすることにより、被印字用紙ロール２１の装着時の操作性を損なうことなく被印字用紙ロール２１を確実に保持することができる。
【００４５】
また、本実施形態では特に、保持部材３３を左右方向に摺動可能に支持して、保持部材３３の進退状態を第１状態と第３状態とに切り替え可能な摺動支持機構５７を有する。これにより、簡易な構成で、保持部材３３の位置を、被印字用紙ロール２１を一時保持可能な位置と、被印字用紙ロール２１を安定保持可能な位置と、に確実に切り替えることができる。
【００４６】
また、本実施形態では特に、摺動支持機構５７は、ケースカバー９の開閉動作に連動して、保持部材３３を摺動させる。これにより、ケースカバー９を開けて被印字用紙ロール２１の着脱を行うときには、保持部材３３の位置を、被印字用紙ロール２１を一時保持可能な位置とし、ケースカバー９を閉じて印刷を行うときには、保持部材３３の位置を、被印字用紙ロール２１を安定保持可能な位置とすることが可能となるので、利便性を向上することができる。
【００４７】
また、本実施形態では特に、保持部材３３を支持する摺動部材４７は、ケースカバー９が閉じ動作されるときに、ケースカバー９により加圧接触されることにより、バネの付勢力に抗して左右方向の内方側に向けて摺動する。これにより、ケースカバー９の閉じ動作と連動して保持部材３３の位置を被印字用紙ロール２１を安定保持可能な位置に切り替え可能なロール保持装置１を実現できる。
【００４８】
また、本実施形態では特に、保持部材３３を揺動可能に支持して、保持部材３３の進退状態を第１状態と第２状態とに切り替え可能な揺動支持機構５９を有する。これにより、簡易な構成で、保持部材３３の位置を、被印字用紙ロール２１を一時保持可能な位置と、被印字用紙ロール２１と干渉しない位置と、に確実に切り替えることができる。
【００４９】
また、本実施形態では特に、揺動支持機構５９は、被印字用紙ロール２１の装着時に、保持部材３３が被印字用紙ロール２１により加圧接触されることにより、保持部材３３をコイルバネ４５の付勢力に抗して揺動して第２状態に切り替える。これにより、被印字用紙ロール２１の装着動作と連動して保持部材３３の位置を被印字用紙ロール２１と干渉しない位置に切り替え可能なロール保持装置１を実現できる。
【００５０】
＜変形例等＞
なお、本発明は、上記実施形態に限られるものではなく、その趣旨及び技術的思想を逸脱しない範囲内で種々の変形が可能である。
【００５１】
例えば、上記実施形態では、保持部材３３の上記３つの進退状態の切り替えのうち、第１状態と第３状態との切り替えは摺動支持機構５７により行い、第１状態と第２状態との切り替えは揺動支持機構５９により行う場合について説明したが、保持部材３３の上記３つの進退状態の切り替えの全てを、摺動支持機構５７により行うことも可能である。この場合も、上記実施形態と同様の効果を得ることができる。
【００５２】
なお、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【００５３】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。
【００５４】
また、以上既に述べた以外にも、上記実施形態や各変形例による手法を適宜組み合わせて利用してもよい。
【００５５】
その他、一々例示はしないが、本発明は、その趣旨を逸脱しない範囲内において、種々の変更が加えられて実施されるものである。
【符号の説明】
【００５６】
１                ロール保持装置
３                印刷装置
７                ケース本体
９                ケースカバー
２１              被印字用紙ロール
２３              被印字用紙
３２              内周部
３３              保持部材
３５              先端部
３９              左端面位置（軸方向端面位置）
３９              右端面位置（軸方向端面位置）
４１              第１位置
４３              第２位置
４５              コイルバネ（第２付勢部材）
４７              摺動部材
４９              ガイド部材
５７              摺動支持機構（摺動支持手段）
５９              揺動支持機構（揺動支持手段）
【図１】
0006323680.tif 000002
【図２】
0006323680.tif 000003
【図３】
0006323680.tif 000004
【図４】
0006323680.tif 000005
【図５】
0006323680.tif 000006
【図６】
0006323680.tif 000007
【図７】
0006323680.tif 000008